(57)【要約】  加工工具（３）を保持する工具ホルダ（５）を備えた、旋盤（２）用の工具ヘッド（１）であって、工具ヘッド（１）は、少なくとも１つの旋回軸線（７）を中心にした振動する旋回運動の形態の、工具ホルダ（５）の追加運動を発生させるための少なくとも１つのアクチュエータ（６）を有している。ワークピースを切削加工する関連した方法および関連した旋盤も提案される。
2019508261.tif 000002
【特許請求の範囲】
【請求項１】
少なくとも１つの切刃（４）を有する切削加工用の加工工具（３）を用いて、ワークピース（１５）を切削加工する方法であって、前記ワークピース（１５）を、切削運動発生のために回転駆動させ、前記加工工具（３）の前記切刃（４）を、前記ワークピース（１５）と切削係合させ、前記加工工具（３）を、確定された送り運動で移動させ、該送り運動に、前記加工工具（３）の前記切刃（４）の振動する追加運動を重畳させる、方法において、
前記加工工具（３）の前記切刃（４）の前記振動する追加運動は、少なくとも１つの旋回軸線（７）を中心にして振動する旋回運動であることを特徴とする、方法。
【請求項２】
前記加工工具（３）の前記送り運動は、前記ワークピース（１５）の回転軸線（１３）に対して横方向の、または直角な、または平行な旋回軸線を中心にした、特に工具ヘッド（１）のヘッド旋回軸線（１６）を中心にした、前記加工工具（３）の振動する旋回運動に相当する運動成分を含んでおり、かつ／または前記加工工具（３）の前記送り運動は、前記ワークピース（１５）の前記回転軸線（１３）に対して平行な、または斜めの、または直角な平面における、前記加工工具（３）の直線運動に相当する少なくとも１つの運動成分を含んでいる、請求項１記載の方法。
【請求項３】
前記加工工具（３）の前記切刃（４）の前記振動する追加運動の少なくとも１つの旋回軸線（７）が、前記ワークピース（１５）の前記回転軸線（１３）に対して横方向に、または直角に、または平行に方向付けられている、請求項１または２記載の方法。
【請求項４】
特に切刃（４）を備えた加工工具（３）を保持する工具ホルダ（５）を備えた、旋盤（２）用の工具ヘッド（１）であって、
当該工具ヘッド（１）は、少なくとも１つの旋回軸線（７）を中心にした振動する旋回運動の形態の、前記工具ホルダ（５）の追加運動を発生させるように構成された少なくとも１つのアクチュエータ（６）を有していることを特徴とする、旋盤（２）用の工具ヘッド（１）。
【請求項５】
前記少なくとも１つのアクチュエータ（６）は、振動する直線往復運動を発生させるように形成されており、当該工具ヘッド（１）は、前記振動する直線往復運動を前記工具ホルダ（５）の前記振動する旋回運動に変換するための装置（８）を有している、請求項４記載の工具ヘッド（１）。
【請求項６】
前記少なくとも１つのアクチュエータ（６）は、前記振動する直線往復運動を発生させるために、該振動する直線往復運動が、前記工具ホルダ（５）の前記少なくとも１つの旋回軸線（７）に対して横方向または直角に配置されている空間軸線に沿ってまたは１つの方向において行われるように、配置されている、請求項４または５記載の工具ヘッド（１）。
【請求項７】
前記振動する直線往復運動を前記振動する旋回運動に変換するための前記装置（８）は、可撓性のカップリング（９）によって形成されており、該可撓性のカップリング（９）は、第１の端部（１０）において、前記少なくとも１つのアクチュエータ（６）の駆動されるエレメント（１１）、特にプランジャに結合されており、かつ特に前記第１の端部（１０）とは反対側に配置されている第２の端部（１２）において、前記工具ホルダ（５）に、特に前記工具ホルダ（５）の前記旋回軸線（７）に対して半径方向間隔をおいて結合されている、請求項５または６記載の工具ヘッド（１）。
【請求項８】
前記工具ホルダ（５）の前記振動する旋回運動の前記少なくとも１つの旋回軸線（７）は、前記工具ヘッド（１）の使用位置において、旋盤（２）の、加工すべきワークピース（１５）を駆動するための作業スピンドル（１４）の回転軸線（１３）に対して横方向に、または直角に、または平行に旋盤（２）において方向付けられている、請求項４から７までのいずれか１項記載の工具ヘッド（１）。
【請求項９】
前記工具ホルダ（５）の前記旋回運動は、第１の旋回軸線（７）を中心とした第１の旋回運動成分と、第２の旋回軸線を中心にした第２の旋回運動成分とから成っており、前記第１の旋回軸線（７）は、前記第２の旋回軸線に対して横方向に、または直角に方向付けられている、請求項４から８までのいずれか１項記載の工具ヘッド（１）。
【請求項１０】
当該工具ヘッド（１）は、ヘッド旋回軸線（１６）を中心にして振動旋回可能であり、前記ヘッド旋回軸線（１６）は、前記工具ホルダ（５）の前記少なくとも１つの旋回軸線（７）に対して横方向に、または直角に、または平行に方向付けられており、かつ／または前記工具ヘッド（１）は、前記旋盤（２）におけるその使用位置において、ヘッド旋回軸線（１６）を中心にして旋回可能であり、該ヘッド旋回軸線（１６）は、前記旋盤（２）の、前記加工すべきワークピース（１５）のための前記作業スピンドル（１４）の前記回転軸線（１３）に対して横方向に、または直角に、または平行に方向付けられており、かつ／または前記工具ヘッド（１）は、旋盤（２）におけるその使用位置において、前記作業スピンドル（１４）の前記回転軸線（１３）に対して平行な、または斜めの、または直角に配置された平面において移動可能である、請求項４から９までのいずれか１項記載の工具ヘッド（１）。
【請求項１１】
前記工具ホルダ（５）の前記振動する旋回運動は、両方の回転方向における、１０°未満の、好ましくは５°の、特に１°未満の、前記工具ホルダ（５）の振動する回転または旋回運動に相当する、請求項４から１０までのいずれか１項記載の工具ヘッド（１）。
【請求項１２】
前記工具ホルダ（５）の前記振動する旋回運動の振動周波数は、前記加工工具（３）に相対的な前記加工すべきワークピース（１５）の回転周波数よりも大きく、かつ／または前記工具ホルダ（５）の前記振動する旋回運動の前記振動周波数は、前記工具ヘッド（１）の、ヘッド旋回軸線（１６）を中心とする１つの旋回運動の振動周波数または前記旋回運動の振動周波数よりも大きい、請求項４から１１までのいずれか１項記載の工具ヘッド（１）。
【請求項１３】
前記工具ホルダ（５）の前記振動する旋回運動の前記振動周波数は、前記加工工具（３）に対して相対的な前記加工すべきワークピース（１５）の前記回転周波数に同調可能であるか、または同調されている、請求項４から１２までのいずれか１項記載の工具ヘッド（１）。
【請求項１４】
前記少なくとも１つのアクチュエータ（６）は、ピエゾアクチュエータによって形成されている、請求項４から１３までのいずれか１項記載の工具ヘッド（１）。
【請求項１５】
当該工具ヘッド（１）は、旋盤（２）の工具タレット（１７）に解離可能に固定可能であり、特に当該工具ヘッド（１）は、解離可能なヘッドカップリング（１８）を、好ましくは差込みカップリングを、前記旋盤（２）の前記工具タレット（１７）に当該工具ヘッド（１）を結合するために有している、請求項４から１４までのいずれか１項記載の工具ヘッド（１）。
【請求項１６】
前記加工工具（３）の前記切刃（４）は、特に当該工具ヘッド（１）の１つのヘッド旋回軸線または前記ヘッド旋回軸線（１６）に対して同軸的な螺旋の形状を有していて、特に前記螺旋は、０°〜９０°、好ましくは１５°〜４５°のピッチ角を備えたピッチを有している、請求項４から１５までのいずれか１項記載の工具ヘッド（１）。
【請求項１７】
旋削加工すべきワークピース（１５）を回転駆動させるための作業スピンドル（１４）と、工具タレット（１７）と、該工具タレット（１７）に取り付けられた、請求項４から１６までのいずれか１項記載の少なくとも１つの工具ヘッド（１）とを備えた旋盤（２）。
【請求項１８】
当該旋盤（２）、特に前記工具タレット（１７）は、請求項４から１６までのいずれか１項記載の前記少なくとも１つの工具ヘッド（１）と前記ワークピース（１５）との間に相対運動を発生させるように構成されており、該相対運動は、前記作業スピンドル（１４）および前記ワークピース（１５）の回転軸線（１３）に対して横方向に、または直角に、または平行に方向付けられたヘッド旋回軸線（１６）を中心にした、前記工具ヘッド（１）の振動するヘッド旋回運動に相当しており、かつ／または前記作業スピンドル（１４）および前記ワークピース（１５）の前記回転軸線（１３）に対して斜めの、または平行な、または直角な平面における直線的な送り運動に相当している、請求項１７記載の旋盤（２）。
【請求項１９】
当該旋盤（２）は、請求項１から３までのいずれか１項記載の方法を実施するように構成されている、請求項１７または１８記載の旋盤（２）。
【発明の詳細な説明】
【技術分野】
【０００１】
本発明は、切刃を有する切削加工用の加工工具を用いて、ワークピースを切削加工する方法であって、ワークピースを、切削運動発生のために回転駆動させ、加工工具の切刃を、ワークピースと切削係合させ、加工工具を、確定された送り運動で移動させ、該送り運動に、加工工具の切刃の振動する追加運動を重畳させる、方法に関する。
【０００２】
本発明はまた、加工工具、特に少なくとも１つの切刃を備えた加工工具を保持する工具ホルダを備えた、旋盤用の工具ヘッド、および旋削加工すべきワークピースを回転駆動させるための作業スピンドルと、工具タレットと、該工具タレットに取り付けられた少なくとも１つの工具ヘッドとを備えた旋盤に関する。
【０００３】
このような方法、工具ヘッドおよび旋盤は、種々様々な実施形態において従来技術から公知である。
【０００４】
公知の方法、例えば皿形部材のワークピース面のいわゆる横面旋削（Quer-Plan-Drehen）では、加工工具の切刃と回転するワークピースとが互いに相対的に移動させられ、このとき送り運動は、ワークピースの回転軸線に対してほぼ垂直に行われる。このとき加工工具は、螺旋形の溝を、加工すべきワークピース面に切削する。送り速度、切削速度および切削深さに応じて、加工された表面における螺旋のピッチおよび粗面深さは、比較的大きくまたは比較的小さくなる。
【０００５】
多くの使用例にとって、可能な限り小さな粗面深さおよび旋条痕のない表面、つまり可能な限り平らで平滑な表面を形成することが望まれている。重要な使用例としては、例えば、ブレーキディスクにおけるブレーキ面を形成するための、ブレーキディスクの加工がある。「旋削螺旋」に起因する、形成されたブレーキ面における不均一性によって、ブレーキ面と共働するブレーキライニングが、このようなブレーキディスクを備えた車両の軸中心に対して「引き込まれる」という現象が生じるおそれがある。このような現象は、車両の走行機構の領域における高められた力を惹起するおそれがある。さらにこのようなブレーキディスクの使用時には、特に制動過程時にブレーキディスクのきしみ音およびジャダが発生することがあり、このことは、一方では走行快適性を、かつ他方ではドライバに対する安全性をも損なうおそれがある。
【０００６】
これらの問題は、ブレーキディスクの特殊な加工によって、例えばいわゆる精密仕上げ旋削によって低減することができる。精密仕上げ旋削では、改善された切削材料および精密な工作機械が使用され、かつ比較的小さな切削深さおよび比較的小さな送りが使用され、このことによって溝形成を減じることができる。このときしかしながらまた、螺旋形の表面構造の完全な除去は、まったく、または比較にならないほど大きなコストを掛けることによってしか達成することができない。
【０００７】
さらに、ブレーキディスクのブレーキ面に、旋削後に、仕上げ加工のために、いわゆる交差研磨（Kreuzschliff）を施すことが公知である。しかしながら、ブレーキディスクのブレーキ面に交差研磨を施すということは、ブレーキディスクの製造時におけるコストを大幅に高騰させるおそれがある、追加的な加工工程を意味する。さらにこのような後加工では、場合によってはさらなるまたは別の欠点に結び付くおそれがある、不確定の表面が発生することがある。
【０００８】
独国実用新案登録第２０３０３２０４号明細書（DE 20303204 U1）に基づいて公知の旋盤では、ワークピース面の横面旋削加工中に、ワークピースと切削工具との相対的な送り運動に、振動するスイング運動が送り方向において重畳させられる。振動するスイング運動は、工具キャリッジの振動する送り運動によって生ぜしめられ、このとき工具キャリッジは、ガイドピストンを用いて水平に走行可能に、工具ホルダによって保持される。しかしながらこの解決策には、全体として比較的大きな質量を有する部材をスイング運動させなくてはならないという欠点がある。
【０００９】
上に述べた従来技術を出発点として、本発明の課題は、例えば滑らかな平面または円筒面の製造を簡単化すること、および上に述べた欠点を減じるまたは完全に回避することができる、ワークピースを切削加工する方法、工具ヘッドおよび旋盤を提供することである。
【００１０】
この課題は、冒頭において定義された方法において、請求項１に記載の手段および特徴によって、かつ特に、加工工具の切刃の振動する追加運動が、少なくとも１つの旋回軸線を中心にした振動する旋回運動であることによって解決される。切刃の振動する追加運動によって、加工工具の少なくとも１つの切刃において、溝、筋または突起のような場合によっては存在する凹凸を、ワークピースの種々異なった領域と、特に種々異なった軸線方向領域と接触させることができる。これによって、ワークピースの旋削加工中に加工されるワークピース表面に形成される、切刃の凹凸を、切刃の振動する追加運動を用いて平均化することができる。このようにして、特に平滑でかつまた十分に旋条痕のないまたは螺旋模様のない表面を、ワークピースにおいて生ぜしめることができる。
【００１１】
上において定義された方法では、さらに、加工工具の送り運動は、旋回軸線を中心にした、特に工具ヘッドのヘッド旋回軸線を中心にした、加工工具の振動する旋回運動に相当する、少なくとも１つの運動成分を含むことが提案されていてよい。送り運動のこの振動する旋回運動成分は、このときワークピースの回転軸線に対して横方向に、直角に、または選択的にまた平行に方向付けられた旋回軸線を中心にした運動成分であってよい。このようにすると、加工工具の振動する旋回運動に振動する追加旋回運動が重畳させられる、ワークピースを切削加工する方法を得ることができ、これによって小さな粗面深さを有する特に精密な表面を形成することができる。
【００１２】
しかしながらまた、加工工具の送り運動は、ワークピースの回転軸線に対して平行な、または直角な、または斜めの平面における、加工工具の直線運動に相当する少なくとも１つの運動成分を含んでいてもよい。
【００１３】
好ましくは、加工工具の切刃の振動する追加運動の少なくとも１つの旋回軸線が、ワークピースの回転軸線に対して横方向に、または直角に方向付けられている実施形態も可能である。このような実施形態に加えてまたはそれとは択一的に、さらに、加工工具の切刃の振動する追加運動の少なくとも１つの旋回軸線、特に第２の旋回軸線が、ワークピースの回転軸線に対して平行に方向付けられている実施形態も可能である。特に、加工工具の切刃の振動する追加運動が、ワークピースの回転軸線に対して横方向に、または直角に方向付けられており、かつ好ましくは加工工具の送り運動が、ワークピースの回転軸線に対して平行に方向付けられた旋回軸線を中心にした、加工工具の振動する旋回運動に相当する運動成分を含んでいると、十分に旋条痕のないワークピース表面を形成することができる。ここで付言しておくと、このとき、加工工具の少なくとも１つの切刃が螺旋を描くと、特に好適であることがある。
【００１４】
上に述べた課題は、特に少なくとも１つの切刃を備えた加工工具を保持する工具ホルダを備えた、旋盤用の、冒頭において定義された工具ヘッドにおいて、請求項４に記載の手段および特徴によって、特に、工具ヘッドが、少なくとも１つの旋回軸線を中心にした振動する旋回運動の形態の、工具ホルダの追加運動を発生させるように構成された少なくとも１つのアクチュエータを有していることによって解決される。このように構成されていると、この追加運動を、加工工具の本来の送り運動に重畳させることができる。
【００１５】
本発明は下記の認識、すなわち、加工すべきワークピースに対する工具の相対的な送り運動中における、切刃もしくは工具ホルダを備えた加工工具の振動する旋回によって、小さな表面荒さを備えた平面を形成することができる、という認識に基づいている。このとき切刃を備えた加工工具の振動、もしくは切刃を備えた加工工具を保持する工具ホルダの振動は、満足できる表面品質を得るために、比較的小さな回転角を有するだけで十分であると言える。
【００１６】
特に独国実用新案登録第２０３０３２０４号明細書に基づいて公知の装置に対する、本発明に係る工具ヘッドの別の利点としては、比較的小さな質量を振動旋回運動させるだけでよいということを挙げることができる。
【００１７】
全体として、このことは旋盤のエネルギ消費に対してポジティブな影響を及ぼし、かつ工具ヘッドのコンパクトな構造形式を可能にする。さらに本発明に係る工具ヘッドは、工具ホルダおよび切刃の振動する旋回運動を発生させるために設けられた部材を、工具ヘッドに一体に組み込むことを可能にする。
【００１８】
工具ヘッドはさらに、既存の旋盤の工具タレットに解離可能に連結できるように形成もしくは構成されていてよい。これによって既存の旋盤に簡単に、本発明に係る工具ヘッドを追加装備することができる。
【００１９】
本発明に係る工具ヘッドの構成では、少なくとも１つのアクチュエータは、振動する直線往復運動を発生させるように形成されていてよく、このとき工具ヘッドは、好ましくは、振動する直線往復運動を工具ホルダの振動する旋回運動に変換するための装置を有していてよい。直線往復運動を発生させるためのアクチュエータは、好適な構造形態を有しているので、本発明に係る工具ヘッドのこの構成は、工具ヘッドの、もしくは工具ヘッドのハウジングのコンパクトな構成を可能にする。
【００２０】
好ましくは、少なくとも１つのアクチュエータは、振動する直線往復運動を発生させるためにこのとき、該振動する直線往復運動が、工具ホルダの少なくとも１つの旋回軸線に対して横方向または直角に方向付けられている空間軸線に沿ってまたは１つの方向において行われるように、配置されていてよい。本発明に係る工具ヘッドのこの実施形態では、工具ヘッドもしくはそのハウジングは、特にコンパクトな構造形態を得ることができる。
【００２１】
工具ヘッドの１つの構成では、振動する直線往復運動を振動する旋回運動に変換するための装置は、可撓性のカップリングによって形成されていることが提案されていてよい。この可撓性のカップリングは、第１の端部において、少なくとも１つのアクチュエータの駆動されるエレメント、特にプランジャに結合されており、かつ特に上に述べた第１の端部とは反対側に配置されている第２の端部において、工具ホルダに結合されていてよい。このとき可撓性のカップリングは、特に工具ホルダの旋回軸線に対して半径方向間隔をおいて配置されていてよい。
【００２２】
このようなカップリングによって、アクチュエータに対して横方向に配置された工具ホルダにおけるアクチュエータの、耐用寿命が長くかつ丈夫でさらに好適に製造可能である連結部を実現することができる。しかしながらまた基本的には、少なくとも１つのアクチュエータとして、振動する旋回運動を発生させ、かつこの旋回運動を工具ホルダに直接伝達するようなアクチュエータを設けることも可能である。このような場合には工具ホルダは、アクチュエータの旋回運動が工具ホルダの旋回運動を惹起するようにアクチュエータに結合されていてよい。
【００２３】
工具ホルダの振動する旋回運動の少なくとも１つの旋回軸線は、使用例に応じて、工具ヘッドの使用位置において、旋盤に、該旋盤の、加工すべきワークピースを駆動するための作業スピンドルの回転軸線に対して横方向に、または直角に、または平行に方向付けられていてもよい。特に、工具ホルダの振動する旋回運動の少なくとも１つの旋回軸線が、工具ヘッドの使用位置において、旋盤の、加工すべきワークピースを駆動するための作業スピンドルの回転軸線に対して横方向に、または直角に方向付けられている場合には、加工工具の切刃に存在している凹凸を、ワークピースの旋削加工の実施中に、相殺または平均化することができる。このことは、作業スピンドルの回転軸線に対して横方向に、または直角に方向付けられた旋回軸線を中心にした、工具ホルダの振動する旋回運動によって生ぜしめられて、場合によっては切刃に形成されている凹凸が、ワークピースの種々異なった軸方向領域と接触することによって行うことができ、これによってワークピースにおけるこれらの凹凸を平均化すること、および小さな粗面深さを備えた平滑な表面を生ぜしめることができる。
【００２４】
言い換えれば、旋盤における工具ヘッドの使用位置において、第１の旋回軸線は旋盤の作業スピンドルの回転軸線に対して横方向に、または直角に方向付けられており、かつ／または第２の旋回軸線は、旋盤の作業スピンドルの回転軸線に対して平行に方向付けられていてよい。
【００２５】
特に旋条痕の少ないまたは旋条痕のない表面の特にフレキシブルな加工および製造は、工具ホルダの旋回運動が、第１の旋回軸線を中心とした第１の旋回運動成分と、第２の旋回軸線を中心にした第２の旋回運動成分とから成っている場合に、実現することができる。このとき第１の旋回軸線は、第２の旋回軸線に対して横方向に、または直角に方向付けられていてよい。このように構成されていると、ワークピースに対して相対的な加工工具の送り運動に、第１の旋回軸線を中心にした加工工具の旋回運動および第２の旋回軸線を中心にした旋回運動に相当する追加運動を、重畳させることができる工具ヘッドが得られる。このようにして、ワークピースの加工された表面の表面品質を、さらに改善することができる。さらに、このようにして、加工工具の振動する旋回運動の方向を自由に選択することができる、工具ヘッドを得ることができる。例えば、送り運動に重畳させられる追加運動を提供するために、１つの加工ステップ中に加工工具を１つの旋回軸線を中心にして旋回させ、かつ後続の加工ステップ時に別の旋回軸線を中心にして加工工具を旋回させることが可能である。
【００２６】
さらに、工具ヘッドもまた、ヘッド旋回軸線を中心にして振動旋回可能であり、ヘッド旋回軸線が、工具ホルダの少なくとも１つの旋回軸線に対して横方向に、または直角に、または平行に方向付けられていることが、提案されていてよい。このとき工具ヘッドは、旋盤におけるその使用位置において、ヘッド旋回軸線を中心にして旋回可能であってよく、ヘッド旋回軸線は、旋盤の、加工すべきワークピースのための作業スピンドルの回転軸線に対して横方向に、または直角に、または平行に方向付けられている。基本的にはまた、工具ヘッドは、旋盤におけるその使用位置において、作業スピンドルの回転軸線に対して平行な、または斜めの、または直角に配置された平面において移動可能であってもよい。このように構成されていると、工具ヘッドを用いて、ワークピースを加工するために種々様々な送り運動を行うことができる。
【００２７】
このとき上に記載したすべての送り運動には、さらに上に記載した追加運動、つまり加工工具および加工工具に形成された切刃を伴う、工具ホルダの振動する旋回運動による追加運動を、重畳させることができる。
【００２８】
工具ホルダの振動する旋回運動は、両方の回転方向における、１０°未満の、好ましくは５°の、工具ホルダの振動する回転または旋回運動に相当することができる。特に精密なおよび／または高周波数の振動する旋回運動では、さらに、工具ホルダの振動する旋回運動は、両方の回転方向における、１°未満の、工具ホルダの振動する回転に相当することができる。
【００２９】
言い換えれば、加工された表面の所望の平滑性を形成するためには、工具の比較的僅かな振動する回転または旋回運動で、既に十分である。このような旋回運動のためには、アクチュエータの相応に小さな往復運動が必要であり、これによって電流消費を、従来技術の装置に比べて大幅に減じることができる。
【００３０】
ここで付言しておくと、工具ホルダの振動する旋回運動の振動周波数は、加工工具に対して相対的な加工すべきワークピースの回転周波数よりも大きくてよい。このことは、特に平滑な表面の形成を促進する。
【００３１】
さらに述べておくと、工具ホルダの振動する旋回運動の振動周波数は、工具ヘッドの、該工具ヘッドのヘッド旋回軸線を中心にした１つの旋回運動、例えば上に記載した旋回運動の振動周波数よりも大きくてよい。
【００３２】
特に均一な表面は、工具ホルダの振動する旋回運動の振動周波数が、加工工具に対して相対的な加工すべきワークピースの回転周波数に同調可能であるか、または同調されていることによって、形成することができる。
【００３３】
本発明に係る工具ヘッドは、少なくとも１つのアクチュエータが、ピエゾアクチュエータによって形成されていることによって、特に僅かな電流消費を有することができる。ピエゾアクチュエータは、つまり特に僅かな電流消費によって傑出している。
【００３４】
工具ヘッドは、旋盤の工具タレットに解離可能に固定可能であってよい。特に、工具ヘッドが、解離可能なヘッドカップリングを有しており、このヘッドカップリングが、好ましくは差込みカップリングとして、旋盤の工具タレットに工具ヘッドを結合するために形成されていてよいことが、提案されていてよい。このような形式のカップリングは、既存の旋盤の工具タレットへの工具ヘッドの、特に簡単な、場合によっては規格化された連結を可能にする。これによって、既存の旋盤に特に簡単に追加装備することができる工具ヘッドを得ることができる。
【００３５】
このとき本発明に係る工具ヘッドの少なくとも１つのアクチュエータには、外から直接、例えばエネルギ供給導線を介して、または導電線を介して、エネルギ、特に電流を供給することができる。しかしながらまた、アクチュエータに、工具タレットにおける相応の接続部に接続することができる、工具ヘッドの内部において延びるエネルギ供給導線および／または導電線を介して、エネルギを供給することも可能である。
【００３６】
ここで付言しておくと、加工工具の切刃自体が、湾曲した形状、特に螺旋の形状を有していてよい。このことは、特に、工具ホルダの振動する旋回運動との組合せにおいて、表面の特に旋条痕の少ないまたはまったく旋条痕のない加工を促進することができる。
【００３７】
このとき加工工具の切刃は、工具ヘッドの１つのヘッド旋回軸線に対して、例えば既に上に述べたヘッド旋回軸線に対して同軸的な螺旋の形状を有していてよい。この螺旋は、０°〜９０°、好ましくは１５°〜４５°のピッチ角を備えたピッチを有することができる。この螺旋のピッチ角は、さらに、加工工具の送り運動の方向に関して、正であってもまたは負であってもよい。
【００３８】
上に述べた課題は、冒頭において定義された旋盤において、請求項１７に記載の手段および特徴によって解決され、特に、工具タレットに取り付けられた少なくとも１つの工具ヘッドが、請求項４から１６までのいずれか１項記載の工具ヘッドであることによって解決される。このように構成されていると、種々異なった加工工具を備えた複数の工具ヘッドを、ワークピース表面の横面旋削のためにも有している旋盤を提供することができ、このときそれぞれの工具ヘッドは、それぞれの加工工具の記載した振動する旋回運動によって、僅かな表面荒さを有する表面を形成するように形成されていてよい。
【００３９】
好ましくは、旋盤、特に工具タレットが、請求項４から１６までのいずれか１項記載の少なくとも１つの工具ヘッドと加工すべきワークピースとの間における相対運動を発生させるように構成されていてよい。送り運動とも呼ぶことができるこの相対運動は、作業スピンドルひいてはワークピースの回転軸線に対して横方向に、または直角に、または平行に方向付けられたヘッド旋回軸線を中心にした、工具ヘッドの振動するヘッド旋回運動に相当していてよい。しかしながらまた、この相対運動は、作業スピンドルおよびワークピースの回転軸線に対して平行な、または斜めの、または直角な平面における直線的な送り運動に相当していることも可能である。基本的には、作業スピンドルおよびワークピースの回転軸線に対して平行な、斜めの、または直角な平面において、工具の上に記載したヘッド旋回運動と直線的な送り運動とを組み合わせることも可能である。
【００４０】
つまりこのように構成されていると、請求項１から３までのいずれか１項記載の方法を実施するように構成されている旋盤を得ることができる。
【００４１】
次に、図面を参照しながら本発明の１実施形態を説明する。図面は部分的に極めて概略的に示されている。
【図面の簡単な説明】
【００４２】
【図１】本発明に係る工具ヘッドを示す斜視図である。
【図２】図１に示した工具ヘッドの側面図である。
【図３】図１および図２に示した本発明に係る工具ヘッドを、図２に示した断面線Ａ−Ａに沿って断面して示す側面図である。
【図４】加工工具および工具ホルダの旋回軸線と、工具ヘッドのヘッド旋回軸線と、ワークピースおよび作業スピンドルの回転軸線との相対位置を示す、本発明に係る旋盤の１実施形態を極めて概略的に示す図である。
【００４３】
すべての図面において、図４において極めて概略的に示された旋盤２のための工具ヘッドは、全体を符号１で示されている。工具ヘッド１は、切刃４を有する加工工具３を備えている。加工工具３は、工具ヘッド１の工具ホルダ５によって保持される。工具ヘッド１はアクチュエータ６を有しており、このアクチュエータ６は、旋回軸線７を中心にした工具ホルダ５の振動する旋回運動の形態の、１つの運動、より正確に言えば追加運動を発生させるように構成されている。
【００４４】
図３から明らかなように、アクチュエータ６は、振動する直線往復運動を発生させるために形成されており、工具ヘッド１は、この振動する直線往復運動を工具ホルダ５の振動する旋回運動に変換するための装置８を有している。図３および図４によれば、振動する直線往復運動を発生させるアクチュエータ６は、振動する直線往復運動が空間軸線に沿ってもしくは１つの方向において行われ、この空間軸線もしくは方向が、横方向に、かつ本発明に係る工具ヘッド１の本実施形態では、それどころか工具ホルダ５の旋回軸線７に対して直角に配置されているように配置されている。
【００４５】
振動する直線往復運動を振動する旋回運動に変換する装置８は、可撓性のカップリング９によって形成されている。この可撓性のカップリング９は、第１の端部１０において、アクチュエータ６の、駆動されるエレメント１１、例えばプランジャに結合されていて、かつ第１の端部１０とは反対側に配置されている第２の端部１２において、工具ホルダ５に結合されている。このとき可撓性のカップリング９は、工具ホルダ５の旋回軸線７に対して半径方向間隔を有している。
【００４６】
工具ホルダ５の振動する旋回運動の旋回軸線７は、図４に示された、旋盤２における工具ヘッド１の使用位置において、加工すべきワークピース１５を駆動することができる作業スピンドル１４の回転軸線１３に対して平行に方向付けられている。ここで付言しておくと、作業スピンドル１４の回転軸線１３は、ワークピース１５の回転軸線と合致している。
【００４７】
工具ホルダ５の旋回運動は、本発明に係る工具ヘッド１の図示の実施形態では、単に、既に上において記載した旋回軸線７を中心にして行われる１つの旋回運動成分から成っている。本発明に係る工具ヘッド１の図示されていない別の実施形態では、この旋回運動は、第１の旋回軸線を中心にした第１の旋回運動成分と、第２の旋回軸線を中心にした第２の旋回運動成分とから成っていてよい。このとき第１の旋回軸線は、第２の旋回軸線に対して横方向に、または直角に方向付けられている。
【００４８】
特に図４における本発明に係る工具ヘッド１の図示から明らかなように、工具ヘッド１もまた、ヘッド旋回軸線１６を中心にして振動旋回させることができる。このヘッド旋回軸線１６は、図４に示された本発明の実施形態では、工具ホルダ５の旋回軸線７に対して平行に、かつまた旋盤２の作業スピンドル１４の回転軸線１３に対しても平行に方向付けられている。図面には示されていない、本発明の別の実施形態では、工具ヘッド１は、工具ホルダ５の旋回軸線７に対して横方向または直角に方向付けられたヘッド旋回軸線を中心にして振動旋回可能である。このとき工具ヘッド１のヘッド旋回軸線１６は、選択的に、加工すべきワークピース１５のための、旋盤２の作業スピンドル１４の回転軸線１３に対して横方向に、または直角に、または平行に方向付けられていてよい。これに加えてまたは択一的に、工具ヘッド１は、旋盤２におけるその使用位置において、作業スピンドル１４の回転軸線１３に対して平行な、または斜めの、またはしかしながらまた直角に配置された平面において移動可能であってよい。このようになっていると、ワークピース１５の加工のために種々様々な送り運動を設定することができる。
【００４９】
工具ホルダ５の振動する旋回運動は、両方の回転方向もしくは旋回方向における、１０°未満の、好ましくは５°の、特に１°未満の、工具ホルダ５の振動する回転または旋回運動に相当することができる。
【００５０】
このとき工具ホルダ５の振動する旋回運動の振動周波数は、加工工具３に対して相対的な加工すべきワークピース１５の回転周波数よりも大きい。また工具ホルダ５の振動する旋回運動の振動周波数は、ヘッド旋回軸線１６を中心にした工具ヘッド１の旋回運動の振動周波数よりも大きい。
【００５１】
工具ホルダ５の振動する旋回運動の振動周波数は、加工工具３に対して相対的な加工すべきワークピース１５の回転周波数に同調されてよい。
【００５２】
工具ヘッド１のアクチュエータ６は、ピエゾアクチュエータによって形成される。このようなアクチュエータは、その僅かなエネルギ消費によって傑出している。
【００５３】
工具ヘッド１は、旋盤２の工具タレット１７に解離可能に固定可能である。そのために工具ヘッド１は、解離可能なヘッドカップリング１８を有しており、このヘッドカップリング１８は、差込みカップリングとして形成されていて、このヘッドカップリング１８を用いて、工具ヘッド１は、旋盤２の工具タレット１７に解離可能に結合することができる。本発明に係る工具ヘッド１の図示されていない実施形態では、加工工具３の切刃４は、螺旋の形状を有している。この螺旋は、工具ヘッド１のヘッド旋回軸線１６に対して同軸であってよく、０°〜９０°、好ましくは１５°〜４５°のピッチ角を備えたピッチを有することができる。
【００５４】
少なくとも１つの本発明に係る工具ヘッド１の他に、旋盤２は、複数の別の本発明に係る工具ヘッド１を、またはしかしながらまた複数の他の工具ヘッドを、その工具タレット１７に収容することができる。
【００５５】
旋盤２は、さらに少なくとも１つの本発明に係る工具ヘッド１とワークピース１５との間における相対運動を発生させるように構成されていてよい。ワークピース１５の旋削加工のための送り運動の少なくとも一部にとって重要である、この相対運動は、作業スピンドル１４およびワークピース１５の回転軸線１３に対して横方向に、直角に、またはまた平行に方向付けられたヘッド旋回軸線１６を中心にした、工具ヘッド１の振動するヘッド旋回運動に相当する。さらに旋盤２、および特に旋盤２の工具タレット１７は、作業スピンドル１４およびワークピース１５の回転軸線１３に対して斜めの、平行な、または直角な平面における直線的な送り運動を実施するように構成されていてもよい。
【００５６】
旋盤２は、少なくとも１つの切刃４を有する切削加工用の加工工具３を用いて、ワークピース１５を切削加工する、以下に記載の方法を実施するように構成されている。
【００５７】
すなわちこのときワークピース１５は、旋盤２の作業スピンドル１４を用いた切削運動発生のために回転駆動させられ、加工工具３の切刃４は、ワークピース１５と切削係合させられる。さらに加工工具３は、確定された送り運動でワークピース１５に対して相対的に移動させられる。このときさらに送り運動には、加工工具３の切刃４の振動する追加運動が重畳させられる。このとき加工工具３の切刃４の振動する追加運動は、旋回軸線７を中心にした振動する旋回運動である。
【００５８】
加工工具３の送り運動は、旋回軸線、ここではヘッド旋回軸線１６を中心にした加工工具３の振動する旋回運動に相当する運動成分を含んでいる。このヘッド旋回軸線１６は、図示の実施形態では、ワークピース１５および旋盤２の作業スピンドル１４の回転軸線１３に対して平行に方向付けられている。必要に応じて、加工工具３の送り運動は、ワークピース１５および作業スピンドル１４の回転軸線１３に対して平行な、斜めの、または直角な平面における、加工工具３の直線運動に相当する、少なくとも１つの運動成分をも含むことができる。加工工具３の切刃４の振動する追加運動の旋回軸線７は、既に上において詳しく記載したように、ワークピース１５および作業スピンドル１４の回転軸線１３に対して横方向に、または直角に、または平行に方向付けられていてもよい。
【００５９】
本発明によれば、ワークピース１５を切削加工する方法および旋盤２の他に、特に加工工具３を保持する工具ホルダ５を備えた旋盤２のための工具ヘッド１も提案され、このとき工具ヘッド１は、少なくとも１つの旋回軸線７を中心にした振動する旋回運動の形態の、工具ホルダ５の追加運動を発生させるための、少なくとも１つのアクチュエータ６を有している。
【符号の説明】
【００６０】
１  工具ヘッド
２  旋盤
３  加工工具
４  切刃
５  工具ホルダ
６  アクチュエータ
７  ５の旋回軸線
８  振動する直線往復運動を振動する旋回運動に変換する装置
９  可撓性のカップリング
１０  ９の第１の端部
１１  駆動されるエレメント
１２  ９の第２の端部
１３  １４／１５の回転軸線
１４  作業スピンドル
１５  ワークピース
１６  ヘッド旋回軸線
１７  工具タレット
１８  ヘッドカップリング
【図１】
2019508261.tif 000003
【図２】
2019508261.tif 000004
【図３】
2019508261.tif 000005
【図４】
2019508261.tif 000006
【国際調査報告】
2019508261.tif 000007
2019508261.tif 000008
2019508261.tif 000009
2019508261.tif 000010
2019508261.tif 000011
2019508261.tif 000012